(57)【要約】本発明は、ロックラッチ用のジャケット、ジャケットを組込んでいるロックラッチ及びロックラッチとジャケットとを組込んでいるスライドを提供するものであって、ロックラッチは、ロックラッチの手動操作の必要なしに一方のスライド部材を他方のスライド部材へ係合させ連結させることを可能にしている。ジャケットは、第二スライド部材へ連結されたロックラッチへ滑動可能に連結されていて、さらにロックラッチに沿って第一位置と第二位置との間で滑動移動可能である。第一スライド部材への第二スライド部材の連結中に、第二スライド部材を第一スライド部材に対してもどす場合、ジャケットは、第一位置へ移動し、ロックラッチが第一スライド部材にかみ合い連結することを防止している。第二スライド部材が第一スライド部材に対して延伸される場合、ジャケットは、第二位置へ移動し、ロックラッチが第一スライド部材にかみ合い連結することを可能にしている。
2005517465.tif 000002
【特許請求の範囲】
【請求項１】
スライドが：
第一スライド部材と；
該第一スライド部材へ滑動可能に連結され、該第一スライド部材に対して引き出しかつ押し戻すことのできる第二スライド部材と；
該第一スライド部材に対してかみ合い連結するための、該第二スライド部材へ連結されたロックラッチと；
該ロックラッチへ滑動可能に連結され、かつ該ロックラッチに沿って第一位置と第二位置との間で滑動移動可能なジャケットであって；該第二スライド部材が該第一スライド部材へ連結中に、該第二スライド部材が該第一スライド部材に対して押しもどされる場合、該ジャケットは、該第一位置へ移動し、該ロックラッチが該第一スライド部材へかみ合い連結することを防止していて；該第二スライド部材が該第一スライド部材に対して延伸される場合、該ジャケットは、第二位置へ移動し、該ロックラッチが該第一スライド部材へかみ合い連結することを可能にしている；ジャケットと、
を具備するスライド。
【請求項２】
該第一スライド部材は、該ジャケットが該第一位置と該第二位置との間で滑動するようにしている、請求項１に記載のスライド。
【請求項３】
該第一スライド部材が少なくとも一つの突起を備え、かつ該ロックラッチが少なくとも一つの切欠きを備えていて；前記少なくとも一つの突起が前記少なくとも一つの切欠きを貫通するとき、該ロックラッチは該第一スライド部材へかみ合い連結する、請求項１に記載のスライド。
【請求項４】
該ジャケットは、前記第一位置にある場合、前記少なくとも一つの突起による該切欠きの貫通を防止している、請求項３に記載のスライド。
【請求項５】
前記少なくとも一つの切欠きは、該ロックラッチを貫通して形成された開口部である、請求項３に記載のスライド。
【請求項６】
前記少なくとも一つの突起は、該第一スライド部材から、すなわち該第一スライド部材の端部近傍位置から延伸していて、該端部から該第二スライド部材が該第一スライド部材に対して延伸している、請求項３に記載のスライド。
【請求項７】
該第二スライド部材が該第一スライド部材へ連結中に、該第二スライド部材が該第一スライド部材に対して押しもどされるとき、前記少なくとも一つの突起は該ジャケットに係合し、該ジャケットを該第一位置へ移動するようになっていて；該第二スライド部材が該第一スライド部材に対して延伸されるとき、前記少なくとも一つの突起は該ジャケットに係合し、該ジャケットを該第二位置へ移動するようになっている、請求項６に記載のスライド。
【請求項８】
該第一スライド部材は、細長いウェブと、該ウェブの両側から延伸しているレグとを具備している細長い部材であって；該第一スライドの該ウェブと該レグとがチャンネルを形成していて、該第一スライド部材は該第一スライド部材の前記端部へ延伸している開口部をさらに具備しており、前記端部からは該第二スライド部材が該第一スライド部材に対して延伸していて；前記少なくとも一つの突起は、該チャンネル内において該第一スライド部材の該ウェブから延伸している第一タブと、該チャンネル内において該第一スライド部材の該ウェブから延伸している第二タブとを備えており；該第一及び第二スライド部材が、該第一スライド部材の該ウェブに形成された前記開口部の対向している側面から延伸している；請求項６に記載のスライド。
【請求項９】
該ロックラッチが、該第一スライド部材へ連結された第一部分と、該第一部分に対してある角度で延伸している第二部分とを備えていて；前記少なくとも一つの切欠きが二つの切欠きを備えており、一方の切欠きは該第二部分の一方の側面に形成され、もう一方の切欠きは該第二部分の対向側面に形成されていて；ネックが該二つの切欠きの間に形成されており；該第二部分はさらにボデーとヘッドとを備えていて；該ボデーとヘッドとは該ネックにより相互接続されており；該ロックラッチが該第一スライド部材へかみ合い連結するとき、各タブは前記切欠きの一方を貫通する；請求項８に記載のスライド。
【請求項１０】
該ボデーが二つの区画を備えており、第一区画は該ネックに隣接し、第二区画は該第一区画から延伸していて；該第一区画の幅は、該ボデーの第一区画を越えて延伸している該ボデーの第二区画に二つの肩を形成している該第二区画の幅より狭まくて、かつ二つの肩が該ネックを越えて延伸している該ヘッドに形成されており；該第一位置において該ジャケットが該ヘッドに形成された該肩に接触し、該第二位置において該ジャケットは該ボデーの第二区画に形成された該肩に接触している；請求項９に記載のスライド。
【請求項１１】
該ジャケットが、該ロックラッチをはさんで、第一表面と対向している第二表面とを備えている、請求項１０に記載のスライド。
【請求項１２】
該ジャケットが、
第一パネルと、
該第一パネルに対向した第二パネルと、
該第一パネルに対向していて、かつ該第二パネルから該ネックの幅より狭い距離で離間している第三パネルと、を備えていて；
該第一、第二及び第三パネルは、少なくとも部分的に該ロックラッチを囲んでいる；請求項１０に記載のスライド。
【請求項１３】
該ジャケットが、第一側面と第二側面とをさらに備えていて；該第一側面は、該第一及び第二パネルに対して横断し、かつ該第一及び第二パネルと相互接続しており、該第二側面は、該第一及び該第三パネルに対して横断していて、かつ該第一及び該第三パネルと相互接続しており；該第一及び第二側面各々が端部を備えており、該ジャケットが該第二位置にある場合、各端部は前記ボデーの第二区画の肩に係合している；請求項１２に記載のスライド。
【請求項１４】
該ジャケットが、第一端部ウェブ部分と第二端部ウェブ部分とをさらに備えていて；該第一端部ウェブ部分は、該第一及び第二パネルに対して横断していて、かつ該第一及び第二パネルと相互接続しており、該第二端部ウェブ部分は、該第一及び該第三パネルに対して横断していて、かつ該第一及び該第三パネルと相互接続しており；該ジャケットが該第一位置にある場合、該第一及び第二端部ウェブ部分各々が前記ヘッドの肩に係合している；請求項１３に記載のスライド。
【請求項１５】
該ジャケットがユニットとして一体的に形成されている、請求項１４に記載のスライド。
【請求項１６】
該ロックラッチが、該ボデーの第一区画に突起をさらに備えていて；切欠きは、ジャケットの該第一パネルに形成され該第一パネルの端部へ延伸しており、該ジャケットが該第二位置にある場合、該突起を収容するようになっている；請求項１２に記載のスライド。
【請求項１７】
該ロックラッチが突起を備えていて、かつ該第一スライド部材は凹部を備えており；該ジャケットが該第二位置にある場合、該突起は、該凹部を貫通することが可能となり、該ロックラッチを該第一スライド部材へ相互連結するようになっている、請求項１に記載のスライド。
【請求項１８】
該ロックラッチが突起を備えていて、かつ該第一スライド部材は開口部を備えており；該ジャケットが該第二位置にある場合、該突起は、該開口部を貫通することが可能となり、該ロックラッチを該第一スライド部材へ相互連結するようになっている、請求項１に記載のスライド。
【請求項１９】
該第二スライド部材は、細長いウェブと、該ウェブの両側から延伸しているレグとを具備している細長い部材であって；該ウェブと該第二スライド部材のレグとがチャンネルを形成しており；該第一及び第二スライド部材が滑動可能に連結される場合、該第一スライド部材の該チャンネルは該第二スライド部材の該チャンネルに対面していて；該ロックラッチは、該第二スライド部材の該ウェブへ連結し、かつ該第二スライド部材の該チャンネル内において延伸しており；該ロックラッチが、第一端部部分と第二端部部分とを備えていて、該第一端部部分は該第二スライド部材の該ウェブへ連結され、さらに該第二端部部分は、該第一端部部分に対向しかつ該第一端部部分に対しある角度で延伸していて；該第二部分の端部は該第二スライド部材の該ウェブに向かって曲げられている、請求項１に記載のスライド。
【請求項２０】
該第二スライド部材は、該ラッチの該第二部分が該第二スライド部材の該ウェブに向けて押される場合に、該ラッチの該第二部分の該曲げられた端部を受け入れるためのスロットを備えている、請求項１９に記載のスライド。
【請求項２１】
引出しスライド用のラッチ装置であって、ロックラッチとジャケットとを具備するラッチ装置において：
該ロックラッチが、
ボデーと、
ヘッドと、
該ボデー及び該ヘッドの第一部分に相互接続しているネック部分と、を具備してお    り；
該ジャケットは、該ロックラッチへ滑動可能に連結し、かつ該ネックをおおった第一位置と、該ネックから離れた第二位置との間で滑動可能である；ラッチ装置。
【請求項２２】
該ボデーが二つの区画を備えており、第一区画は該ネックに隣接し、第二区画は該第一区画から延伸していて；該第一区画の幅は、該ボデーの第一区画を越えて延伸している該ボデーの第二区画に二つの肩を形成している該第二区画の幅より狭まくて、かつ二つの肩が該ネックを越えて延伸している該ヘッドに形成されており；該第一位置において該ジャケットが該ヘッドに形成された該肩に接触し、該第二位置において、該ジャケットは該ボデーの第二区画に形成された該肩に接触している；請求項２１に記載のラッチ装置。
【請求項２３】
該ジャケットが、該ロックラッチをはさんで第一表面と対向している第二表面とを備えている、請求項２２に記載のラッチ装置。
【請求項２４】
該ジャケットが、
第一パネルと、
該第一パネルに対向した第二パネルと、
該第一パネルに対向していて、かつ該第二パネルから該ネックの幅より狭い距離で離間している第三パネルと、を備えていて；
該第一、第二及び第三パネルは、少なくとも部分的に該ロックラッチを囲んでいる；請求項２２に記載のラッチ装置。
【請求項２５】
該ジャケットが、第一側面と第二側面とをさらに備えていて；該第一側面は、該第一及び第二パネルに対して横断し、かつ該第一及び第二パネルと相互接続しており、該第二側面は、該第一及び該第三パネルに対して横断していて、かつ該第一及び該第三パネルと相互接続しており；該第一及び第二側面各々が端部を備えており、該ジャケットが該第二位置にある場合、各端部は前記ボデーの第二区画の肩に係合している；請求項２４に記載のラッチ装置。
【請求項２６】
該ジャケットが、第一端部ウェブ部分と第二端部ウェブ部分とをさらに備えていて；該第一端部ウェブ部分は、該第一及び第二パネルに対して横断していて、かつ該第一及び第二パネルと相互接続しており、該第二端部ウェブ部分は、該第一及び該第三パネルに対して横断していて、かつ該第一及び該第三パネルと相互接続しており；該ジャケットが該第一位置にある場合、該第一及び第二端部ウェブ部分各々が前記ヘッドの肩に係合している；請求項２５に記載のラッチ装置。
【請求項２７】
該ジャケットがユニットとして一体的に形成されている、請求項２６に記載のラッチ装置。
【請求項２８】
該ロックラッチが、該ボデーの第一区画に突起をさらに備えていて；切欠きは、ジャケットの該第一パネルに形成され該第一パネルの端部へ延伸しており、該ジャケットが該第二位置にある場合、該突起を収容するようになっている；請求項２４に記載のラッチ装置。
【発明の詳細な説明】
【技術分野】
【０００１】
本発明は、一方のスライドが他方のスライドから係合解除することを防止するためのロックラッチに関する。より詳しくは本発明は、ロックラッチ用のジャケット、ジャケットを組込んでいるロックラッチ及びロックラッチとジャケットとを組込んでいるスライドに関するものであって、ロックラッチは、ロックラッチの手動操作の必要なしに一方のスライド部材を他方のスライド部材へ係合させ連結させることを可能にしている。
【背景技術】
【０００２】
引き出しをキャビネット又は机に滑動可能に連結するために使用されるスライドは、静止部材と少なくとも一つの伸縮部材とである二段以上の部材から構成されている。静止部材は通常キャビネット又は机に取りつけられていて、一方伸縮部材は、引き出しに取りつけられている。二つのスライドが、通常引き出しをキャビネット又は机に連結するために、引き出しの両側に一つづつ使用されている。
【０００３】
三段スライドが中間伸縮部材を有していて、その中間伸縮部材は、軸受保持器に取りつけられた玉軸受により、静止部材と他の伸縮部材とに係合されていて、引き出しより長い延伸を可能にしている。二段スライドにおいて、伸縮部材は、軸受保持器に取りつけられた玉軸受により、静止部材に連結されている。玉軸受はスライド部材各々に形成された軸受軌道に支えられている。
【０００４】
引き出しをキャビネット又は机から簡単にはずすことを可能にするために、スライドの伸縮部材は、スライドから簡単にはずせるように作られている。通常、スライドから簡単にはずせるようになっているのは、引き出しに取りつけられた伸縮部材である。ロックラッチが通常伸縮部材に取りつけられている。ラッチは伸縮部材へ連結されたスライド部材の端部に係合している。伸縮部材をスライドからはずすために、すなわち引き出しをキャビネット又は机からはずすために、引き出しが引き出されるとき引き出しの両側におけるスライドの伸縮部材各々におけるラッチが押され、伸縮部材がスライドの他の部材から解放される。同様に、伸縮部材をスライドに再連結するために、ロックラッチは、伸縮部材をスライドの適切な部材の中に滑動可能にするために、押されなければならない。引き出しをキャビネットに取りつけることが困難な場合、このことが、伸縮部材の再連結を可能にしている。このようにロックラッチの手動操作の必要なしに、スライドの伸縮部材をスライドへ挿入し連結できることが、ロックラッチに必要とされている。
【発明の開示】
【発明が解決しようとする課題】
【０００５】
発明の要約
本発明は、ロックラッチ用のジャケット、ジャケットを組込んでいるロックラッチ及びロックラッチとジャケットとを組込んでいるスライドを提供するものであって、ロックラッチは、ロックラッチの手動操作の必要なしに一方のスライド部材を他方のスライド部材へ係合させ連結させることを可能にしている。ジャケットは、第二スライド部材へ連結されたロックラッチへ滑動可能に連結されていて、さらにロックラッチに沿って第一位置と第二位置との間で滑動移動可能である。第一スライド部材への第二スライド部材の連結中に、第二スライド部材を第一スライド部材に対してもどす場合、ジャケットは、第一位置へ移動し、ロックラッチが第一スライド部材にかみ合い連結することを防止している。第二スライド部材が第一スライド部材に対して延伸される場合、ジャケットは、第二位置へ移動し、ロックラッチが第一スライド部材にかみ合い連結することを可能にしている。
【課題を解決するための手段】
【０００６】
例示の実施態様において、第一スライド部材は少なくとも一つの突起を有していて、ロックラッチは少なくとも一つの切欠きを含んでいる。この例示の実施態様において、第一スライド部材の少なくとも一つの突起がロックラッチの少なくとも一つの切欠きを貫通するとき、ロックラッチは第一スライド部材にかみ合い連結する。ジャケットは、第一位置にある場合、少なくとも一つの切欠きをブロックし、少なくとも一つの突起が切欠きを貫通することを防止している。
【０００７】
第一スライド部材への第二スライド部材の連結中に第二スライド部材を第一スライド部材に対してもどす場合、少なくとも一つの突起は、ジャケットに係合しジャケットを第一位置へ移動している。さらに第二スライド部材が第一スライド部材に対して延伸される場合、少なくとも一つの突起は、ジャケットに係合しジャケットを第二位置へ移動している。
【０００８】
他の例示の実施態様において、ロックラッチが突起を有していて、第一スライド部材が例えば開口部のような凹部を有している。この例示の実施態様において、ジャケットが第二位置にある場合、突起は、凹部を貫通することが可能となり、ロックラッチを第一スライド部材へかみ合い連結させている。
【０００９】
例示の実施態様において、ジャケットは第二表面に対向する第一表面を有していてロックラッチをはさんでいる。他の例示の実施態様において、ジャケットはユニットとして一体的に作られている。
【発明を実施するための最良の形態】
【００１０】
詳細な説明
新規なジャケット又はジャケット付きロックラッチは、例えば二段スライド又は三段スライドのようないずれの多段スライドにも組み込むことができる。二段スライドにおいて、ジャケット付きロックラッチは二つのスライド部材の一方に組み込まれる。多段スライドにおいて、ジャケット付きロックラッチは、好ましくはスライドからはずす必要のあるスライド部材に取りつけられる。説明目的のために、本発明は三段スライドを用いて説明する。
【００１１】
典型的な三段スライド１０は、内部伸縮部材１２を備えていて、その内部伸縮部材１２は、外部静止部材１６へ滑動可能に連結されている中間伸縮部材１４へ滑動可能に連結されている（図１Ａ及び２）。外部部材は、チャンネル形状断面であって、ウェブ２０と、ウェブの対向端部から横断的に延伸している二つのレグ２２とを有しているチャンネル１８を形成している。内部軸受軌道２６は各レグ２２に形成されている。中間スライド部材１４も、ほぼチャンネル形状断面であって、外部部材１６の内部に滑動可能に連結されている。
【００１２】
断面において、中間部材も、ウェブ２８と、ウェブの対向端部から延伸している二つのレグ３０とを備えている。各レグが内部軌道３２と外部軌道３４とを形成している。中間部材のウェブ２８の中央部分が長手方向凹部３５を形成していてもよい。中間部材は、外部部材の中に滑動可能に連結されていて、それらの“チャンネル”が同一方向に向いている。玉軸受３６が、外部部材の内部軸受軌道２６と、中間部材の外部軸受軌道３４との間にはさまれている。玉軸受は、通常外部玉軸受保持器３７へ連結されている。
【００１３】
内部部材もチャンネル形断面であって、ウェブ３８と、ウェブの対向端部から延伸している二つのレグ４０とを有している。くぼみが各レグの外表面に形成されていて、外部軸受軌道４２を形成している。内部部材は、中間部材へ滑動可能に連結されていて、内部部材のチャンネルが中間部材のチャンネルと対面している。すなわち、内部部材のレグが、内部部材のウェブ３８から中間部材のウェブ２８へ向けて延伸している。玉軸受４４は、内部部材の外部軸受軌道４２と、中間部材の内部軸受軌道３２との間にはさまれている。玉軸受は、通常内部玉軸受保持器４５へ連結されている。各スライド部材は、通常単一ピースの材料で作られている。
【００１４】
例えば図４Ａ，４Ｂ，４Ｃ及び４Ｄに示めすガイドブロック７０が、中間部材における端部６１近傍の軌道の中へ挿入されていて、図３Ａ及び３Ｂに示めすようにその端部６１から内部部材が延伸している。ガイドブロックが、二つの離間したレグ７２と、その間に形成されたウェブ７４とを備えていて、各レグは、ウェブ７４から長手方向と横断方向との両方向へ延伸するようになっている。例示の実施態様において、ガイドブロックのウェブ７４が、中間部材２８に対し相補的な断面であって、かつ凹部７６も形成していて、その凹部７６は中間スライド部材のウェブ２８に形成された凹部３５に対し相補的である。開口部７８が、中間部材のウェブ２８を横断的に横切って形成されていて、ガイドブロックのウェブ７４を収容するようになっている（図１Ａ及び１Ｂ）。図４Ｄに示めすように、ガイドブロックのウェブ７４は、ガイドブロックのレグ７２の下方に延在している。この点に関して、ウェブ７４が開口部７８に収容されてもよいし、一方レグ７２が中間部材のチャンネルに収容されてもよい。
【００１５】
ガイドブロックの各レグの外表面は、外側部分８０と内側部分８３とを備えている。ガイドブロックの各レグ７２の外表面における外側部分８０は、中間部材の内部軸受軌道３２と相補的になっている。各レグの外側部分８０と対向している各レグの外表面における内側部分８３の第一区画８２は、内部部材の外部軸受軌道４２と相補的になっている。図３Ｂに示めす例示の実施態様において、各レグの外表面における内側部分の相補的な区画８２は、ガイドブロックウェブ７４から最も離れたレグの端部８５までは延伸していない。外表面内側部分における比較的平らな第二区画８７が、第一区画８２から各レグ７２の端部へ延伸している。別の実施態様において、外表面の内側部分における第一区画は、ガイドブロックのレグの全長にわたってまたがっていてもよい。リップ８４がガイドブロックの各レグ７２から内向きに延伸している。各リップの表面８６は、ガイドブロックのレグの方向に向いていて、ガイドブロックのウェブ７４の第一表面７５にほぼ平行である。
【００１６】
図３Ａ，３Ｂ及び５に示めすように、ガイドブロックは、中間部材の端部に取りつけられていて、ブロックのレグの外側表面部分８０が、中間部材の内部軸受軌道により収容されていて、一方ガイドブロックのウェブは中間部材のウェブの開口部７８に収容されている。ガイドブロックのリップ部分表面８６が、中間部材に取りつけられる場合、軸受保持器４５区画のレベル８７に等しいか又は高くなっている中間部材のウェブ上方のレベルへ延伸している（図２）。スロット９８が、ガイドブロックの各レグの外表面における内側部分の第二区画８７と第二セットのランスタブ６４と間に形成されている。これらのスロットは、内部部材が中間スライド部材へ再連結される場合、内部部材のレグをガイドするようになっている。例示の実施態様において、ガイドブロックは、例えばＡＢＳプラスチック又は成形アセタール（molded acetal）のようなプラスチック材料で作られている。
【００１７】
ロックラッチ機構が、中間部材と内部スライド部材とに形成されていて、内部スライドを、中間スライド部材からはずすことができ、かつ中間スライド部材へ再連結することができるようになっている。例示の実施態様におけるロックラッチ機構が、切欠き６０とロックラッチ９９とを含んでいる。その切欠き６０は、中間部材ウェブ２８と、その端部とに形成されていて、中間部材の端部６１へ延伸していて、その端部６１から内部部材が延伸している。二セットのランスタブが切欠きの側面に沿って形成されている。第一セットのランスタブが二つのタブ６２を備えていて、その二つのタブ６２は、お互いに対向して配置され、かつ切欠きの対向エッジから内部スライド部材へ向けて延伸している。第二セットのランスタブが二つのランスタブ６４を備えていて、その二つのランスタブ６４は、お互いに対向して配置され、かつ切欠きの対向エッジから延伸している。第二セットのランスタブは、中間部材の端部における切欠きの端部６１に配置されていて、かつ第一セットの二つのタブ間の距離より広い間隔で離間している。すなわち第二セットの二つのタブ６４の間の間隔６６は第一セットの二つのタブ６２の間の間隔６８より広くなっている。第一セットのランスタブは、第二セットのランスタブに比較して中間部材の端部６１から最も離れていて、その端部６１から内部部材が延伸している。
【００１８】
ロックラッチ９９を形成しているスプリングタブが内部部材１２のレグ４０におけるウェブ３８に取りつけられている。図６Ａに示めす例示のラッチは、図７に示めすように内部部材のウェブ３８に取りつけられる第一部分１００を有している。例示の実施態様において、第一部分には、ラッチの第一部分を内部部材のウェブに把持するようになっているタブを収容するための、端部切欠き１０１及びスロット１０３が形成されている。内部部材のウェブ３８から切削加工された第一タブ１０５は、端部切欠き１０１を貫通し、第一部分をおおって曲げられ、第一部分を内部部材のウェブに対し把持している。内部部材のウェブから切削加工された第二タブ１０７は、スロット１０３を貫通し、第一部分をおおって曲げられ、第一部分を内部部材のウェブに対して把持している。公知な技術である他の方法が、ロックラッチの第一部分を内部部材のウェブに取りつけるために使用されてもよい。
【００１９】
第二部分１０２は、内部部材のウェブから延伸している。第二部分が、ネック部分１０６へ向けて狭くなっているボデー部分１０４を備えていて、そのネック部分１０４は、ヘッド部分１０８へ向けて広がっている。ネック部分は、ボデー部分とヘッド部分との幅に沿ってほぼ中央にあって、その両側に切欠き２３４を形成している。ヘッド部分の先端部１１０は、内部部材のウェブへ向けて曲げられており、スロット１１２は内部部材のウェブを貫通して形成されていて、ラッチが内部部材のウェブに対して押し込まれる場合曲げられた先端部分が収容されるようになっている（図６Ｂ及び７）。より細い第四部分１３０は、図６Ａ，６Ｂ及び７に例として示めしたような第一及び第二部分を相互接続していてもよい。例示の実施態様において、第二部分は、第一部分に対して角度１０９で延伸するように角度がついている。例示の実施態様において、ロックラッチ全体が、ばねのような特性を備えたロックラッチを提供する単一のシート材料から一体的に形成されていて、第二部分が内部部材のウェブに押しつけられる場合、第二部材は、押しつける力がはずれると、第一部材に対する初期の曲げられた位置にスプリングバックするようになっている。
【００２０】
例示の実施態様において、ロックラッチにおけるネック部分１０６に隣接したボデー部分１０４の端部区画１２２は、ボデー部分の他の部分とヘッド部分との幅２１８より狭まいけれど、ネック部分１０６の幅２１２より広くなっている。従って肩１２４が、端部区画１２２に隣接したボデー部分に形成されている。さらに例示の実施態様において、端部区画１２２の中央部分１２６は端部区画に対して隆起している。
【００２１】
ジャケット２００（図８Ａ，８Ｂ，８Ｃ，８Ｄ及び８Ｅ）は、図９に例示するように、ロックラッチのネック部分１０６に対して取り囲んで滑動するように取りつけられている。例示の実施態様において、ジャケット２００が第一パネル２０２を備えていて、その第一パネル２０２は、第一パネルの端部２０６へ延伸している切欠き２０４を有している。第一パネルの対向している両端部は、折り曲げられて二つのパネル２０８と二つの向きあっている側面２０９とを形成していて、その二つのパネル２０８は、お互いに離間しかつ第一パネル２０２と向き合っている。例示の実施態様において、第二パネルの二つの端部２０５の間の間隔２１０（図８Ｄ）は、ロックラッチのネック部分１０６の幅２１２より狭まくて、かつロックラッチのボデー部分の端部区画１２２の幅２１６より狭まくなっている。さらに二つの向き合っている側面２０９の間の距離２１４（図８Ｄ）は、ロックラッチのボデー部分の端部区画１２２の幅２１６より広くて、ロックラッチにおけるボデー部分１０４とヘッド部分１０８との幅２１８より狭まくなっている（図６Ａ）。図８Ｃに示めすように、端部ウェブ２２０は、ジャケットにおける第二パネル各々と第一パネルとの間に形成されている。ジャケットの長さ２２２は、ロックラッチのネック部分１０６の長さ２２４と少なくとも同じ長さである。
【００２２】
ジャケットは、好ましくは弾力性のある材料、例えばプラスチックで作られている。図８に示めす例示の実施態様において、ジャケットはプラスチック材料を用いて射出成形されたものである。その弾力性のために、ジャケットはロックラッチのネック部分１０６をおおって容易に滑動できて、さらにロックラッチのボデー部分の端部区画をおおって滑動する。ジャケットを長手軸周囲でわずかに曲げることにより、第二パネルの端部２０５間の距離２１０を、ロックラッチのネック部分の幅２１２より広くすることができる。この点に関連して、ネック部分を、第二パネルの端部の間に形成された間隔２１０に取りつけることができる。続いて、ジャケットは、ロックラッチのボデー部分における端部区画１２２の側端部２３０が、ジャケットにおける第二パネルと第一パネルとの間で滑動できるように、押し込まれる。滑動を容易にするために、ネック部分に近いボデー部分の端部区画のコーナは、例えば図６Ａの点線２３２に示めすように丸味をおびている。
【００２３】
組立ててしまうと、ジャケットは、ジャケットの端部２０６がボデー部分に形成された肩１２４へ当接するまで、ボデー部分の端部区画をおおって滑動することができる。当接すると、ジャケットの切欠き２０４がロックラッチの端部区画の隆起した部分１２６を収容する。隆起した中央部分は、ロックラッチに対するジャケットの滑動運動を限定するようにもなっている。ジャケットがロックラッチに取りつけられる場合、ジャケットは、ネック部分を形成している切欠き２３４の全長１２６を占有している位置から、ネック部分を形成している切欠き２３４を露出して、ボデー部分の端部区画をおおう位置へ移動することができる。図８Ａに示めすように、ジャケットの幅２３６は、第二セットのランスタブ６４の間の距離６６より狭まくて、かつ第一セットのランスタブ６２の間の距離６８より広くするべきである。
【００２４】
内部部材を中間部材へ連結するために、内部部材のレグ部分が、スロット９８の中に滑動されていて、そのスロット９８は、ガイドブロックにおける外表面の内側部分の第二区画と、第二セットのランスタブ６４との間に形成されている（図３Ａ）。内部部材のレグが中間部材へ向けてさらに押し込まれると、内部部材の外部軸受軌道４２が、ガイドブロック外表面をおおって移動し、従って内部部材を中間部材へ連結する。内部部材が中間部材をおおってさらに滑動するとき、内部部材のレグのエッジ１１６が、それらの対応するガイドブロックのリップ表面８６をおおって移動する。内部部材が、中間部材へ向かう方向にさらに移動するとき、内部部材のレグは、ガイドブロックのレグの内側表面とリップ部分とに沿って滑動しつづけ、そして軸受保持器４５へガイドされる。というのはガイドブロックのレグのリップ部分は、中間部材のウェブに対して保持器区画１１４のレベルより高いレベルに延伸していて、ガイドブロックのリップ部分は、内部部材のレグが軸受保持器４５の端部エッジに衝突することを防止している。内部部材が中間部材へ向けてさらに滑動されると、ジャケットは第二セットのランスタブの間に形成されたスペース内に移動される（図１Ａ）。内部部材が中間部材に向けてさらに滑動されると、第一セットランスタブ６２の端部２３５がジャケットの第二パネルのエッジ２３６に当接し、ジャケットが、ネック部分１０６をおおって滑動するようになり、ネック部分を形成する切欠き２３４をおおうようになる。内部スライド部材が中間部材に向けてさらに滑動されると、第一セットのランスタブ６２は、ジャケットのエッジ２３６に対し力を作用し続け、一方でロックラッチのネックに隣接したヘッド部分のエッジ１１８はジャケットの移動を防止している。
【００２５】
このことが起きると、第一セットのランスタブにより作用されていた力は；ラッチが、内部部材のウェブへ向かって移動、すなわち曲がってばね力発生するようにしていて；さらに内部部材及びロックラッチが、第一セットのランスタブを通過することを可能にしていて；ランスタブがジャケットとロックラッチのヘッド部分とへ上昇することを可能にしている。このことが起きると、ジャケットは、第一セットのランスタブがロックラッチのネック部分に形成されている切欠き２３４を突きぬけることを防止していて、従って第一セットのランスタブがロックラッチのヘッド部分の端部１１８に係合することを防止している。その結果、内部部材を中間部材へ完全に再連結することを可能にするために、ロックラッチを操作する必要はない。内部部材が中間部材の中で滑動されるとき、中間部材のウェブは、ロックラッチを内部部材のウェブ部材へ向けて押しつけ、ロックラッチを中間部材のウェブへ向けて押しつける力が発生される。さらに、内部部材が中間部材へ連結されると、ロックラッチの隆起した部分１２６は、軸受保持器４５に対して上昇し、ジャケットを軸受保持器４４から離間する。この点に関連して、ジャケットは中間部材あるいは軸受保持器には接触していなくて、従って内部部材が外部部材に対して滑動する場合におけるジャケットの損耗が防止されている。
【００２６】
内部スライド部材が中間部材に対して移動するとき、第一セットのランスタブ６２は、エッジ２３６に対向しているジャケットの第一パネルのエッジ２４２に係合し、ジャケットを、ジャケットの移動が肩１２４に対して停止するまで、ロックラッチのボデー部分の端部区画をおおって滑動させる。そのことが起きる場合、ネック部分を形成している切欠き２３４が露出される。曲げられたロックラッチにより発生されたばね力は、ラッチを内部部材のウェブからはずし、第一セットのランスタブが切欠きを貫通し、ロックラッチのネック部分１０６にまたがり、従って中間部材から内部部材が係合解除されることを防止している。内部部材を中間部材からさらに係合解除するために、ロックラッチは内部部材のウェブに向けて押し込まれねばならなくて、従ってロックラッチのネック部分ははずされ、そしてロックラッチ及び内部部分が第一セットのランスタブを通過することが可能になる。
【００２７】
本発明のジャケットは、種々のタイプのロックラッチに使用することができて、そのロックラッチは、図１０Ａ，１０Ｂ，１０Ｃ，１０Ｄ及び１０Ｅにそれぞれ示めされる種々のロックラッチ機構２９０，２９２，２９４，２９６及び２９８として使用されている。例えばジャケットは、図１０Ａ，１０Ｂ，１０Ｃ，１０Ｄ及び１０Ｅにそれぞれ示めすロックラッチ３００，３０２，３０４，３０６及び３０８の中へ組み込むことができ、ロックラッチを組込んでいるスライドをそのようなスライド部材へ再連結する場合、ロックラッチと他のスライド部材との係合がロックラッチ機構を形成することを防止している。例えば、ロックラッチのジャケット３１０，３１２，３１４，３１６及び３１８はそれぞれラッチ３００，３０２，３０４，３０６及び３０８に使用することができて、かつロックラッチが、これらのロックラッチとの組合せにおいてロックラッチ機構を形成する、スライド部材における種々の突起あるいは開口部に係合することを、ロックラッチのジャケットは防止している。例えば、ジャケット３１０は、ロックラッチ３００に形成された開口部３３０をブロックする位置に移動することができて、従って、ロックラッチを組込んでいるスライドが突起３２０を有しているスライド部材３２１へ再連結される場合、開口部がスライド部材３２１に形成された突起３２０により係合されることを、ジャケット３１０は防止している。同様に、ジャケット３１２はロックラッチ３０２の突起３３４を取り囲んでいる位置へ移動することができて、突起３３４がスライド部材３２３における開口部３２２を貫通することを防止するようになっている。例えば、ジャケット３１４はロックラッチ３０４の切欠き３３６をおおって移動することができて、スライド部材３２５のランスタブ３２４がそのような切欠きを貫通することを防止するようになっている。同じく、ジャケット３１６はロックラッチ３０６に形成された開口部３３８をおおう位置に移動することができて、スライド部材３２７のランスタブ３２６が開口部３３８を貫通することを防止している。さらに、ジャケット３１８はロックラッチ３０８に形成された開口部３４０をブロックする位置に移動することができて、スライド部材３２９から延伸しているピン３２８が開口部３４０を貫通することを防止している。
【００２８】
さらに、ロックラッチは、例として図１１Ａに示めすような曲がった先端１１０又は図１１Ｂに示めすような平らな先端４１０を有していてもよい。もしロックラッチが平らな先端の場合、曲がった先端を収容するための、ロックラッチを組み込んだスライド部材のウェブにおける開口部１１２は必要ない。
【００２９】
本発明は、複数の実施態様に関して説明されてきたが、これらに限定されるものではなくて、変更及び修正は、本発明における特許請求の範囲にすべて包含されることを意図しているものであることが理解されるべきである。
【図面の簡単な説明】
【００３０】
【図１Ａ】図１Ａは、本発明における実施態様のロックラッチジャケットを組込んだスライドの斜視図である。
【図１Ｂ】図１Ｂは、本発明における実施態様のロックラッチジャケットを組込んだスライドの平面図である。
【図２】図２は、図１に示めすスライドにおける矢印Ａ−Ａから見た断面図である。
【図３Ａ】図３Ａは、図１Ａに示めすスライドの中間部材の端面図である。
【図３Ｂ】図３Ｂは、図１Ａに示めすスライドの中間部材の下面図である。
【図４Ａ】図４Ａは、図１Ａに示めすスライドに組み込んだガイドブロックの斜視図である。
【図４Ｂ】図４Ｂは、図１Ａに示めすスライドに組み込んだガイドブロックの平面図である。
【図４Ｃ】図４Ｃは、図１Ａに示めすスライドに組み込んだガイドブロックの端面図である。
【図４Ｄ】図４Ｄは、図１Ａに示めすスライドに組み込んだガイドブロックの側面図である。
【図５】図５は、図１Ａに示めすスライドの端面図である。
【図６Ａ】図６Ａは、本発明における例示の実施態様のロックラッチの平面図であって、ジャケットを組み込んでいないものである。
【図６Ｂ】図６Ｂは、本発明における例示の実施態様のロックラッチの側面図であって、ジャケットを組み込んでいないものである。
【図６Ｃ】図６Ｃは、本発明における例示の実施態様のロックラッチの端面図であって、ジャケットを組み込んでいないものである。
【図７】図７は、図６Ａに示めすロックラッチの斜視図であって、スライド部材のウェブに取りつけたものである。
【図８Ａ】図８Ａは、本発明における例示の実施態様のロックラッチジャケットの平面図である。
【図８Ｂ】図８Ｂは、本発明における例示の実施態様のロックラッチジャケットの断面図である。
【図８Ｃ】図８Ｃは、本発明における例示の実施態様のロックラッチジャケットの斜視図である。
【図８Ｄ】図８Ｄは、本発明における例示の実施態様のロックラッチジャケットの端面図である。
【図８Ｅ】図８Ｅは、本発明における例示の実施態様のロックラッチジャケットの側面図である。
【図９】図９は、本発明における例示の実施態様のロックラッチのガイドタブの斜視図であって、本発明における例示の実施態様のジャケットを組み込まれたものである。
【図１０Ａ】図１０Ａは、ロックラッチ／スライド装置−１を示めしていて、ロックラッチ機構が本発明におけるロックラッチジャケットを組み込んでいる。
【図１０Ｂ】図１０Ｂは、ロックラッチ／スライド装置−２を示めしていて、ロックラッチ機構が本発明におけるロックラッチジャケットを組み込んでいる。
【図１０Ｃ】図１０Ｃは、ロックラッチ／スライド装置−３を示めしていて、ロックラッチ機構が本発明におけるロックラッチジャケットを組み込んでいる。
【図１０Ｄ】図１０Ｄは、ロックラッチ／スライド装置−４を示めしていて、ロックラッチ機構が本発明におけるロックラッチジャケットを組み込んでいる。
【図１０Ｅ】図１０Ｅは、ロックラッチ／スライド装置−５を示めしていて、ロックラッチ機構が本発明におけるロックラッチジャケットを組み込んでいる。
【図１１Ａ】図１１Ａは、曲がった先端を有するロックラッチの斜視図である。
【図１１Ｂ】図１１Ｂは、平らな先端を有するロックラッチの斜視図である。
【図１Ａ】
2005517465.tif 000003
【図１Ｂ】
2005517465.tif 000004
【図２】
2005517465.tif 000005
【図３Ａ】
2005517465.tif 000006
【図３Ｂ】
2005517465.tif 000007
【図４Ａ】
2005517465.tif 000008
【図４Ｂ】
2005517465.tif 000009
【図４Ｃ】
2005517465.tif 000010
【図４Ｄ】
2005517465.tif 000011
【図５】
2005517465.tif 000012
【図６Ａ】
2005517465.tif 000013
【図６Ｂ】
2005517465.tif 000014
【図６Ｃ】
2005517465.tif 000015
【図７】
2005517465.tif 000016
【図８Ａ】
2005517465.tif 000017
【図８Ｂ】
2005517465.tif 000018
【図８Ｃ】
2005517465.tif 000019
【図８Ｄ】
2005517465.tif 000020
【図８Ｅ】
2005517465.tif 000021
【図９】
2005517465.tif 000022
【図１０Ａ】
2005517465.tif 000023
【図１０Ｂ】
2005517465.tif 000024
【図１０Ｂ】
2005517465.tif 000025
【図１０Ｄ】
2005517465.tif 000026
【図１０Ｅ】
2005517465.tif 000027
【図１１Ａ】
2005517465.tif 000028
【図１１Ｂ】
2005517465.tif 000029
【国際調査報告】
2005517465.tif 000030
2005517465.tif 000031